(57)【特許請求の範囲】
【請求項１】
紙幣の記番号を読み取る紙幣処理装置であって、
記番号フォーマットが異なる同一金種の紙幣それぞれについて、記番号を撮像した記番号画像上で前記記番号を形成する各文字の位置を特定するために各記番号フォーマットに合わせて準備した複数種類の記番号テンプレートが保存されている記憶部と、
紙幣を識別する識別部と、
前記識別部による紙幣の識別結果に対応する複数種類の記番号テンプレートの中から、前記紙幣の記番号フォーマットに対応する記番号テンプレートを決定する記番号テンプレート決定部と、
前記記番号テンプレート決定部によって決定された記番号テンプレートを利用して前記紙幣の記番号を文字認識する文字認識部と
を備えることを特徴とする紙幣処理装置。
【請求項２】
前記記憶部には、複数種類の記番号テンプレートの中から文字認識用の記番号テンプレートを決定する記番号テンプレート決定処理を実行する必要があるか否かを示す情報、及び前記記番号テンプレート決定処理の処理対象となる記番号テンプレートの種類を示す情報が、前記識別部による識別結果に対応付けて設定された記番号認識条件が保存されており、
前記記番号テンプレート決定部は、前記識別部による識別結果及び前記記番号認識条件に基づいて、前記記番号テンプレート決定処理を実行する
ことを特徴とする請求項１に記載の紙幣処理装置。
【請求項３】
前記記番号認識条件には、複数種類の記番号テンプレートそれぞれを評価する処理の実行方法を指定する指定情報が含まれており、
前記記番号テンプレート決定部は、前記指定情報に基づいて各記番号テンプレートを評価する処理を実行することを特徴とする請求項２に記載の紙幣処理装置。
【請求項４】
前記記番号テンプレートは、記番号画像上で、記番号を形成する各文字を内部に含むように設定された複数の文字枠を含み、
前記記番号テンプレート決定部は、前記記番号テンプレートで記番号画像上を走査して、記番号を形成する各文字がそれぞれ対応する文字枠内に含まれたことを評価するテンプレート評価値を算出して、前記記番号の文字認識に利用する記番号テンプレートを決定する
ことを特徴とする請求項１〜３のいずれか１項に記載の紙幣処理装置。
【請求項５】
前記記番号テンプレートは、前記記番号画像上で、記番号を形成する各文字がそれぞれ対応する前記文字枠内に含まれる位置で、文字を含まない部分領域に設定された背景枠を含み、
前記記番号テンプレート決定部は、前記テンプレート評価値で、前記背景枠内に文字が含まれないことを評価する
ことを特徴とする請求項４に記載の紙幣処理装置。
【請求項６】
前記識別部によって識別された紙幣の金種と、前記記番号テンプレート決定部によって前記紙幣に対応すると決定された記番号テンプレートの種類とに基づいて、前記紙幣の金種の識別結果を決定する
ことを特徴とする請求項１〜５のいずれか１項に記載の紙幣処理装置。
【請求項７】
紙幣処理装置で紙幣の記番号を読み取る紙幣処理方法であって、
識別部が紙幣を識別する識別工程と、
記番号を撮像した記番号画像上で前記記番号を形成する各文字の位置を特定するために記番号フォーマットに合わせて準備された、前記識別工程で得られた紙幣の識別結果に対応する複数種類の記番号テンプレートの中から、記番号テンプレート決定部が、前記紙幣の記番号フォーマットに対応する記番号テンプレートを決定する記番号テンプレート決定工程と、
前記記番号テンプレート決定工程で決定された記番号テンプレートを利用して、文字認識部が前記紙幣の記番号を文字認識する文字認識工程と
を含んだことを特徴とする紙幣処理方法。
【発明の詳細な説明】
【技術分野】
【０００１】
この発明は、紙幣の記番号を読み取る紙幣処理装置及び紙幣処理方法に関する。
【背景技術】
【０００２】
従来、紙幣から記番号を読み取る紙幣処理装置が利用されている。同じ種類の紙幣であっても、各紙幣を記番号に基づいて区別することができるので、各紙幣から読み取った記番号を紙幣処理に利用することができる。例えば、特許文献１には、紙幣から読み取った記番号に含まれる情報から紙幣の製造工場や製造時期を認識して該紙幣の特徴を特定し、特定した特徴に基づいて真偽識別処理を行う方法が開示されている。
【０００３】
記番号の読み取りは、例えば、記番号を含むように紙幣を撮像した画像上で、記番号を形成する各桁の文字が含まれる部分領域を特定して、各桁の文字を文字認識することによって行われる。記番号の印刷位置等が紙幣の種類によって異なる場合があるが、例えば、特許文献２には、紙幣の識別処理を行って紙幣の種類を特定した後、紙幣の種類に応じて紙幣上の記番号を読み取る方法が開示されている。
【先行技術文献】
【特許文献】
【０００４】
【特許文献１】特開２００３−２７２０１８号公報
【特許文献２】特許第５１３３３４８号明細書
【発明の概要】
【発明が解決しようとする課題】
【０００５】
しかしながら、上記従来技術では、紙幣の記番号を正しく読み取れない場合があった。例えば、紙幣の改刷が行われた結果、改刷前の紙幣と改刷後の紙幣は外観が略同じであるにも拘わらず、改刷前の紙幣に印刷されている記番号と、改刷後の紙幣に印刷されている記番号とで、記番号を形成する各桁の文字の大きさ等、記番号フォーマットが変更されている場合がある。このような場合に、改刷後の紙幣を撮像した紙幣画像上で、改刷前紙幣の記番号のフォーマットに基づいて記番号を読み取ろうとしても、改刷後紙幣に印刷されている記番号各桁の位置を特定することができず、正しい文字認識結果を得られない。
【０００６】
また、改刷前紙幣及び改刷後紙幣のそれぞれについて、各記番号フォーマットに基づいて、記番号各桁の文字の位置を特定するための情報を記番号テンプレートとして準備しても、紙幣の外観が略同じであるために、紙幣が改刷前のものであるか改刷後のものであるかを正しく識別することができず、識別結果に基づいて行われる記番号テンプレートの選択を誤り、記番号を正しく読み取れない場合がある。
【０００７】
本発明は、上述した従来技術による問題点を解消するためになされたもので、外観は略同じであるが記番号フォーマットが異なる複数種類の紙幣がある場合でも、各紙幣の記番号を正しく読み取ることができる紙幣処理装置及び紙幣処理方法を提供することを目的とする。
【課題を解決するための手段】
【０００８】
上述した課題を解決し、目的を達成するため、本発明は、紙幣の記番号を読み取る紙幣処理装置であって、記番号フォーマットが異なる同一金種の紙幣それぞれについて、記番号を撮像した記番号画像上で前記記番号を形成する各文字の位置を特定するために各記番号フォーマットに合わせて準備した複数種類の記番号テンプレートが保存されている記憶部と、紙幣を識別する識別部と、前記識別部による紙幣の識別結果に対応する複数種類の記番号テンプレートの中から、前記紙幣の記番号フォーマットに対応する記番号テンプレートを決定する記番号テンプレート決定部と、前記記番号テンプレート決定部によって決定された記番号テンプレートを利用して前記紙幣の記番号を文字認識する文字認識部とを備えることを特徴とする。
【０００９】
また、本発明は、上記発明において、前記記憶部には、複数種類の記番号テンプレートの中から文字認識用の記番号テンプレートを決定する記番号テンプレート決定処理を実行する必要があるか否かを示す情報、及び前記記番号テンプレート決定処理の処理対象となる記番号テンプレートの種類を示す情報が、前記識別部による識別結果に対応付けて設定された記番号認識条件が保存されており、前記記番号テンプレート決定部は、前記識別部による識別結果及び前記記番号認識条件に基づいて、前記記番号テンプレート決定処理を実行することを特徴とする。
【００１０】
また、本発明は、上記発明において、前記記番号認識条件には、複数種類の記番号テンプレートそれぞれを評価する処理の実行方法を指定する指定情報が含まれており、前記記番号テンプレート決定部は、前記指定情報に基づいて各記番号テンプレートを評価する処理を実行することを特徴とする。
【００１１】
また、本発明は、上記発明において、前記記番号テンプレートは、記番号画像上で、記番号を形成する各文字を内部に含むように設定された複数の文字枠を含み、前記記番号テンプレート決定部は、前記記番号テンプレートで記番号画像上を走査して、記番号を形成する各文字がそれぞれ対応する文字枠内に含まれたことを評価するテンプレート評価値を算出して、前記記番号の文字認識に利用する記番号テンプレートを決定することを特徴とする。
【００１２】
また、本発明は、上記発明において、前記記番号テンプレートは、前記記番号画像上で、記番号を形成する各文字がそれぞれ対応する前記文字枠内に含まれる位置で、文字を含まない部分領域に設定された背景枠を含み、前記記番号テンプレート決定部は、前記テンプレート評価値で、前記背景枠内に文字が含まれないことを評価することを特徴とする。
【００１３】
また、本発明は、上記発明において、前記識別部によって識別された紙幣の金種と、前記記番号テンプレート決定部によって前記紙幣に対応すると決定された記番号テンプレートの種類とに基づいて、前記紙幣の金種の識別結果を決定する
ことを特徴とする。
【００１４】
また、本発明は、紙幣処理装置で紙幣の記番号を読み取る紙幣処理方法であって、識別部が紙幣を識別する識別工程と、記番号を撮像した記番号画像上で前記記番号を形成する各文字の位置を特定するために記番号フォーマットに合わせて準備された、前記識別工程で得られた紙幣の識別結果に対応する複数種類の記番号テンプレートの中から、記番号テンプレート決定部が、前記紙幣の記番号フォーマットに対応する記番号テンプレートを決定する記番号テンプレート決定工程と、前記記番号テンプレート決定工程で決定された記番号テンプレートを利用して、文字認識部が、前記紙幣の記番号を文字認識する文字認識工程とを含んだことを特徴とする。
【発明の効果】
【００１５】
本発明によれば、例えば、外観は略同じで、記番号の文字サイズや文字間隔等の記番号フォーマットが異なる同一金種の紙幣がある場合に、記番号を撮像した画像上で記番号各桁の文字位置を特定可能な情報を含む記番号テンプレートを、各記番号フォーマットに合わせて複数準備しておいて、紙幣の記番号を読み取る際には、複数の記番号テンプレートの中から、紙幣の記番号フォーマットに対応する記番号テンプレートを選択することができるので、各紙幣の記番号を正しく読み取ることができる。
【図面の簡単な説明】
【００１６】
【図１】図１は、本実施形態に係る紙幣処理装置の構成概略を示すブロック図である。
【図２】図２は、改刷前後で記番号フォーマットが変更された紙幣の例を示す模式図である。
【図３】図３は、紙幣処理装置で紙幣の記番号を読み取る処理の流れを示すフローチャートである。
【図４】図４は、記番号認識条件の例を示す図である。
【図５】図５は、記番号テンプレートによる文字画像の取得方法を説明する図である。
【図６】図６は、記番号テンプレート決定処理の流れを示すフローチャートである。
【図７】図７は、記番号テンプレートの例を示す図である。
【図８】図８は、図２（ｂ）に示す改刷後紙幣について行われる記番号テンプレート決定処理を説明する図である。
【図９】図９は、図２（ａ）に示す改刷前紙幣について行われる記番号テンプレート決定処理を説明する図である。
【図１０】図１０は、記番号認識条件の別の例を示す図である。
【発明を実施するための形態】
【００１７】
以下に、添付図面を参照して、本発明に係る紙幣処理装置及び紙幣処理方法について詳細に説明する。まず、本実施形態に係る紙幣処理装置で行う紙幣処理方法の概要を説明すると、紙幣処理装置では、例えば同一金種で記番号フォーマットが異なる紙幣等、金種の識別結果が同一になるにも拘わらず記番号フォーマットが異なる複数種類の紙幣がある場合に、これら各紙幣の記番号フォーマットに合わせて、記番号を撮像した記番号画像上で記番号各桁の文字の位置を特定するための記番号テンプレートが予め準備されている。そして、紙幣の記番号を読み取る際に、紙幣を識別した結果、識別結果に対応して複数種類の記番号テンプレートが準備されている場合には、これらの中から紙幣の記番号フォーマットに対応する記番号テンプレートを選択して、該記番号テンプレートによって記番号を読み取ることができる。記番号テンプレートの選択は、各記番号テンプレートによって記番号各桁の文字の位置を特定できるか否かを評価することによって行うが、評価する記番号テンプレートの処理順序を指定したり、複数の記番号テンプレートの評価処理を並列して実行するように指定したり、記番号テンプレート評価処理の実行方法を指定できるようになっている。
【００１８】
図１は、本実施形態に係る紙幣処理装置１の構成概略を示すブロック図である。紙幣処理装置１は、紙幣画像撮像部１０、識別部２０、記憶部３０及び制御部４０を含んでいる。なお、紙幣画像撮像部１０及び識別部２０については、紙幣処理装置１がこれらを有さず、紙幣の記番号を撮像した画像及び紙幣の識別結果が外部装置から紙幣処理装置１へ入力される態様とすることもできるが、本実施形態では、紙幣画像撮像部１０及び識別部２０が紙幣処理装置１内に内蔵されているものとして説明する。
【００１９】
紙幣画像撮像部１０は、例えば、紙幣を搬送する搬送部と、搬送部によって搬送される紙幣を撮像するラインセンサとを含み、紙幣の表面全体の画像及び裏面全体の画像を撮像する機能を有する。
【００２０】
識別部２０は、紙幣画像撮像部１０で撮像された紙幣画像を利用して紙幣の金種を識別する機能を有する。また、識別部２０は、紙幣画像撮像部１０のラインセンサ以外にも各種センサを利用して、紙幣の厚みや、磁気、紫外光、赤外光等に関する紙幣の特徴を取得して紙幣の識別処理を行う機能を有するが、これらについては従来技術を利用可能であるため詳細な説明は省略する。
【００２１】
記憶部３０は不揮発性の記憶装置から成り、記憶部３０には、記番号認識条件３１、記番号テンプレートデータ３２及び文字認識用データ３３が保存されている。また、記憶部３０は、紙幣画像撮像部１０で撮像された紙幣画像、紙幣画像から記番号部分を切り出した記番号画像、記番号画像から記番号各桁の文字部分を切り出した文字画像等、処理途中で発生する画像や、制御部４０が動作する際に生ずる各種データの一時保存にも利用される。記番号認識条件３１は、紙幣画像に含まれる記番号を読み取る際に行う各処理に関する情報を含んでいる。記番号テンプレートデータ３２は、紙幣画像に含まれる記番号各桁の文字の位置を特定するために、紙幣の種類毎に記番号フォーマットに合わせて準備された記番号テンプレートを含んでいる。文字認識用データ３３は、記番号各桁の文字を文字認識するための辞書データ等の情報を含んでいる。これらについての詳細は後述する。
【００２２】
制御部４０は、記番号画像取得部４１、記番号テンプレート決定部４２及び文字認識部４３を有している。記番号画像取得部４１は、紙幣画像撮像部１０で撮像された紙幣全面の画像から、記番号全体を含む部分領域の画像を切り出した記番号画像を取得する機能を有する。また、記番号画像取得部４１は、記番号テンプレートを利用して、記番号画像から、記番号各桁の文字を１文字ずつ含む部分領域の画像を切り出した文字画像を取得する機能を有する。記番号テンプレート決定部４２は、記番号画像取得部４１によって切り出された記番号画像に対応する記番号テンプレートが複数種類ある場合に、記番号画像に対応する記番号テンプレートを決定する機能を有する。文字認識部４３は、記番号画像取得部４１によって取得された各文字画像に含まれる文字を文字認識する機能を有する。これら各部の機能及び動作についての詳細は後述する。
【００２３】
次に、改刷によって、同一金種の紙幣に印刷される記番号のフォーマットが変更された場合を例に、記番号を読み取る紙幣処理装置１の動作について説明する。図２は、改刷前後で記番号フォーマットが変更された紙幣の例を示す模式図である。図２（ａ）は、改刷前の紙幣を撮像した紙幣画像１００を示しており、同図（ｂ）は、改刷後の紙幣を撮像した紙幣画像２００を示している。同一金種の２種類の紙幣は、改刷前後で記番号フォーマットが異なるが、外観は略同じであり、識別部２０によって識別した場合にも同一金種であるとの識別結果が得られる。
【００２４】
図２（ａ）に示すように、改刷前紙幣に印刷されている記番号１１０は、全ての桁の文字が同じ文字サイズで印刷されている。これに対して、図２（ｂ）に示すように、改刷後紙幣に印刷されている記番号２１０には、文字サイズが異なる桁が含まれている。具体的には、記番号２１０の左端を第１桁として、第４桁〜第９桁で、各桁の文字サイズが徐々に大きくなっている。
【００２５】
図３は、紙幣処理装置１で紙幣の記番号を読み取る処理の流れを示すフローチャートである。まず、紙幣画像撮像部１０が、記番号が印刷されている紙幣全面を撮像した紙幣画像を取得する（ステップＳ１）。紙幣画像が取得されると、識別部２０が紙幣画像等を利用して紙幣の金種を識別する（ステップＳ２）。
【００２６】
紙幣の金種が識別されると、記番号テンプレート決定部４２が、記憶部３０の記番号認識条件３１を参照して（ステップＳ３）、記番号を含む画像上で記番号各桁の文字位置を特定するために利用する記番号テンプレートを、複数種類の記番号テンプレートの中から選択する必要があるか否かを判定する（ステップＳ４）。
【００２７】
図４は、記番号認識条件３１の例を示す図である。記番号認識条件３１には、識別結果、記番号テンプレート評価要否、及び評価対象記番号テンプレートの項目が含まれている。識別結果の項目は、識別部２０によって紙幣を識別して得られる金種の識別結果を示している。記番号テンプレート評価要否の項目は、各識別結果について、記番号テンプレートを選択する処理が必要であるか否かを示している。評価対象記番号テンプレートの項目は、記番号テンプレートを選択する処理で評価対象となる記番号テンプレートの種類を示している。ただし、記番号テンプレートを選択する必要がない場合には、評価対象記番号テンプレートの項目に、識別結果に対応する１種類の記番号テンプレートが示されることになる。
【００２８】
記番号認識条件３１には、紙幣処理装置１で処理される可能性がある各金種について、記番号テンプレート評価要否及び評価対象記番号テンプレートの情報が予め設定されている。また、評価対象記番号テンプレートの項目に示された各記番号テンプレートは、記番号テンプレートデータ３２として記憶部３０に保存されている。
【００２９】
例えば、図２に示す紙幣画像１００、２００が同じ金種Ｂの紙幣の画像である場合には、改刷前紙幣の記番号１１０のフォーマットと、改刷後紙幣の記番号２１０のフォーマットとが異なるので、いずれの記番号フォーマットで記番号を読み取るかを決定する必要がある。このため、金種Ｂの紙幣については、図４に示すように、記番号認識条件３１の記番号テンプレート評価要否の項目が「要」と設定される。また、評価対象記番号テンプレートの項目には、改刷前紙幣の記番号フォーマットに合わせて予め準備された記番号テンプレートＹ１、及び改刷後紙幣の記番号フォーマットに合わせて予め準備された記番号テンプレートＹ２の２種類の記番号テンプレートを示す情報が設定される。
【００３０】
また、例えば、識別部２０によって金種Ｃと識別される紙幣に、記番号フォーマットが異なる３種類の紙幣が含まれる場合には、図４に示すように、記番号テンプレート評価要否の項目が「要」と設定される。また、金種Ｃの評価対象記番号テンプレートの項目には、各紙幣の記番号フォーマットに対応して予め準備された３種類の記番号テンプレートＺ１、Ｚ２、Ｚ３を示す情報が設定される。一方、識別部２０によって金種Ａと識別される紙幣の記番号フォーマットが１種類しかない場合には、記番号テンプレートを選択する処理は必要ない。このため、金種Ａの記番号テンプレート評価要否の項目は「不要」と設定され、評価対象記番号テンプレートの項目には金種Ａの記番号フォーマットに対応して予め準備された記番号テンプレートＸを示す情報のみが設定される。
【００３１】
記番号読み取りの処理対象が金種Ａの紙幣である場合には、識別部２０による紙幣の識別結果が金種Ａとなる。この識別結果に基づいて、図４に示す記番号認識条件３１を参照した記番号テンプレート決定部４２は、金種Ａの紙幣については、記番号テンプレートを選択する処理が不要であると判定する（図３ステップＳ４；Ｎｏ）。そして、記番号テンプレート決定部４２は、記憶部３０の記番号テンプレートデータ３２の中から、金種Ａに対応する記番号テンプレートＸを読み込む（ステップＳ６）。
【００３２】
続いて、記番号画像取得部４１が、金種Ａの紙幣全面を撮像した紙幣画像から、記番号を含む部分領域を切り出した記番号画像を取得する（ステップＳ７）。そして、記番号画像取得部４１は、先に読み込まれた金種Ａの記番号テンプレートＸを利用して、記番号画像上での記番号の位置を特定し（ステップＳ８）、記番号を形成する各桁の文字画像を取得する（ステップＳ９）。各桁の文字を１文字ずつ含む文字画像が得られると、文字認識部４３は、各文字画像に含まれる文字を文字認識して（ステップＳ１０）、処理を終了する。
【００３３】
記番号テンプレートを利用して記番号各桁の文字を文字認識するステップＳ７〜Ｓ１０の処理を、具体例を挙げて説明する。図５は、記番号テンプレートＸ（３２０）による文字画像の取得方法を説明する図である。図５（ａ）は記番号テンプレートＸ（３２０）を示し、同図（ｂ）は金種Ａの紙幣画像３００を示し、同図（ｃ）は紙幣画像３００から記番号３１０を含む部分領域を切り出した記番号画像３０１を示している。また、図５（ｄ）は、同図（ａ）に示す記番号テンプレートＸ（３２０）を利用して、同図（ｃ）に示す記番号画像３０１上で、記番号３１０の位置を特定した状態を示している。また、図５（ｅ）は、同図（ｄ）に示す記番号位置の特定結果に基づいて、記番号画像３０１から、記番号３１０各桁の文字を切り出して得られる文字画像３０２の一例を示している。なお、図５（ｂ）には紙幣画像３００の一部を示しているが、紙幣画像３００は紙幣全面を撮像した画像である。
【００３４】
図５（ａ）に示すように、記番号テンプレートＸ（３２０）は、破線で示した３つの余白枠（背景枠）３２１〜３２３と、実線で示した８つの文字枠３２４〜３３１とを含んでいる。記番号テンプレートＸ（３２０）は、図５（ｄ）に示すように、記番号画像３０１に含まれる記番号３１０の記番号フォーマットに合わせて予め準備されている。
【００３５】
具体的には、余白枠３２１〜３２３は、図５（ｄ）に示すように、記番号テンプレートＸ（３２０）によって記番号３１０の位置を特定した際に、各枠内に、記番号３１０を形成する文字が含まれないように設定されている。一方、文字枠３２４〜３３１は、記番号テンプレートＸ（３２０）によって記番号３１０の位置を特定した際に、記番号３１０を形成する各桁の文字が、対応する文字枠３２４〜３３１内に１文字ずつ含まれるように設定されている。なお、余白枠は、記番号の背景について設定された背景枠の一種である。背景枠として、余白に設定した枠の他、記番号以外の文字を含むように設定した枠や、マークや図柄を含むように設定した枠等を利用することもできる。
【００３６】
識別部２０によって、紙幣画像３００を取得した紙幣が金種Ａの紙幣であると識別されると、記番号画像取得部４１は、図５（ｃ）に示すように、紙幣画像３００から、記番号３１０が印刷されている部分領域を切り出した記番号画像３０１を取得する（図３ステップＳ７）。記番号画像３０１は、記番号３１０の周囲の模様や文字等の余計な部分をなるべく含まないように紙幣画像３００から切り出されるが、記番号画像３０１として切り出す部分領域の位置及び大きさを示す情報は、記番号認識条件３１に含まれている。
【００３７】
記番号テンプレートを形成する各枠のサイズ及び位置関係は固定されている。記番号画像取得部４１は、図５（ａ）に示す記番号テンプレートＸ（３２０）を利用して、同図（ｃ）に示す記番号画像３０１上を走査しながら、各位置で、記番号テンプレートＸ（３２０）を評価するためのテンプレート評価値を算出する。そして、記番号画像取得部４１は、算出したテンプレート評価値に基づいて、図５（ｄ）に示すように、記番号テンプレートＸ（３２０）の各文字枠３２４〜３３１内に、対応する各文字を含む位置を特定する（図３ステップＳ８）。
【００３８】
各余白枠３２１〜３２３を評価する背景枠評価値は、図５（ｄ）に示すように枠内が余白となったときに評価値が最大値を示し、枠内に記番号３１０を形成する文字の一部が含まれると評価値が低下するように設定されている。一方、文字枠３２４〜３３１を評価する文字枠評価値は、図５（ｄ）に示すように枠内に文字が含まれるときに評価値が最大値を示し、文字の一部が枠からはみ出ると評価値が低下するように設定されている。記番号画像取得部４１は、各枠３２１〜３３１の評価値の合計値を、記番号テンプレートＸ（３２０）を評価するテンプレート評価値として、記番号画像３０１上でテンプレート評価値が最大値を示す位置を探索する。この結果、テンプレート評価値が最大値を示す位置が、図５（ｄ）に示す記番号テンプレートＸ（３２０）の位置となる。
【００３９】
なお、テンプレート評価値を算出する際には、例えば、背景枠及び文字枠のそれぞれを、記番号を形成する文字を取り囲む大きさの文字部と、文字部に接する環状領域の外周部とに分割して、文字部及び外周部の各領域内の画素値の濃度平均値から評価値を算出できるが、背景枠及び文字枠を利用して、記番号が含まれる画像上を走査しながら評価値を算出して記番号の位置を特定する方法については、国際公開第２０１２／１２０５８７号に記載しているため詳細は省略する。
【００４０】
記番号テンプレートＸ（３２０）を利用して、記番号画像３０１上で図５（ｄ）に示すように記番号３１０の位置を特定すると、記番号画像取得部４１は、記番号テンプレートＸ（３２０）に含まれる各文字枠３２４〜３３１で囲まれている部分領域を切り出して、図５（ｅ）に示すように、文字画像３０２とする。図５（ｅ）には、記番号３１０の第１桁の「Ｐ」の文字画像３０２の例を示しているが、記番号画像取得部４１は、図５（ｃ）に示す記番号３１０各桁の文字画像３０２を取得する。８桁の記番号３１０から得られた８つの文字画像３０２それぞれには、文字が１文字だけ含まれている。
【００４１】
記憶部３０の文字認識用データ３３には、記番号各桁の文字に対応する辞書データが予め準備されており、文字認識部４３は、各文字画像３０２に対応する辞書データを利用して、各文字画像３０２に含まれる文字の文字認識を行うようになっている（図３ステップＳ１０）。なお、各金種の紙幣の記番号各桁の文字と、文字認識用の辞書データとの関係を示す情報は、記憶部３０の記番号認識条件３１に含まれる。
【００４２】
一方、記番号読み取りの処理対象が、図２（ｂ）に示す金種Ｂの改刷後紙幣である場合には、改刷後紙幣の紙幣画像２００が取得され（図３ステップＳ１）、識別部２０によって金種Ｂの紙幣であるとする識別結果が得られる（ステップＳ２）。記番号テンプレート決定部４２は、この識別結果に基づいて図４に示す記番号認識条件３１を参照し（ステップＳ３）、金種Ｂの紙幣については、２種類の記番号テンプレートＹ１、Ｙ２の中から１つを選択する処理が必要であると判定する（ステップＳ４；Ｙｅｓ）。そして、記番号テンプレート決定部４２は、２種類の記番号テンプレートＹ１、Ｙ２の中から、図２（ｂ）の改刷後紙幣に対応する記番号テンプレートを選択するための記番号テンプレート決定処理を開始する（ステップＳ５）。
【００４３】
図６は、記番号テンプレート決定処理の流れを示すフローチャートである。図７は、記番号テンプレートの例を示す図である。図７（ａ）は、図２（ａ）に示す金種Ｂの改刷前紙幣の記番号フォーマットに合わせて準備された記番号テンプレートＹ１（１２０）を示し、図７（ｂ）は、図２（ｂ）に示す金種Ｂの改刷後紙幣の記番号フォーマットに合わせて準備された記番号テンプレートＹ２（２２０）を示している。
【００４４】
図７（ａ）に示すように、記番号テンプレートＹ１（１２０）は、破線で示した３つの余白枠１２１〜１２３と、実線で示した９つの文字枠１２４〜１３２とを含んでいる。図７（ｂ）に示すように、記番号テンプレートＹ２（２２０）は、破線で示した３つの余白枠２２１〜２２３と、実線で示した９つの文字枠２２４〜２３２とを含んでいる。記番号テンプレートＹ１（１２０）では、図２（ａ）に示す改刷前紙幣の記番号フォーマットに合わせて、全ての文字枠１２４〜１３２が同じサイズとなっている。一方、記番号テンプレートＹ２（２２０）では、図２（ｂ）に示す改刷後紙幣の記番号フォーマットに合わせて、一部の文字枠２２８〜２３２のサイズが異なっている。具体的には、記番号テンプレートＹ２（２２０）の４つの文字枠２２４〜２２７は同じサイズであるが、５つの文字枠２２８〜２３２は右側の桁ほど縦横のサイズが徐々に大きくなっている。
【００４５】
記番号テンプレート決定処理では、評価対象記番号テンプレートとして設定されている２つの記番号テンプレートＹ１、Ｙ２のそれぞれを評価して、紙幣の記番号フォーマットに対応する記番号テンプレートが決定される。紙幣処理装置１では、複数の記番号テンプレートを評価する際に、記番号テンプレートの処理を並列して行うか否かや、記番号テンプレートの処理を順に行う場合の処理順序等を設定できるようになっているが、以下では、記番号テンプレートＹ２の評価処理を説明した後、記番号テンプレートＹ１の評価処理について説明する。
【００４６】
図８は、図２（ｂ）に示す改刷後紙幣について行われる記番号テンプレート決定処理を説明する図である。図８（ａ）は、金種Ｂの改刷後紙幣の紙幣画像２００を示し、同図（ｂ）は紙幣画像２００から記番号２１０を含む部分領域を切り出した記番号画像２０１を示している。図８（ｃ）は、記番号テンプレートＹ２を利用して、同図（ｂ）に示す記番号画像２０１上で、記番号２１０の位置を特定した状態を示している。図８（ｄ）は、記番号テンプレートＹ１を利用して、同図（ｂ）に示す記番号画像２０１上で、記番号２１０の位置を特定した状態を示している。なお、図８（ａ）には紙幣画像２００の一部を示しているが、紙幣画像２００は、図２（ｂ）に示すように紙幣全面を撮像した画像である。
【００４７】
記番号テンプレート決定処理を開始した記番号テンプレート決定部４２は、まず、図８（ａ）に示す紙幣画像２００から、記番号２１０が印刷されている部分領域を切り出して、同図（ｂ）に示す記番号画像２０１を取得する（図６ステップＳ１１）。記番号画像２０１は、記番号２１０の周囲の模様や文字等の余計な部分をなるべく含まないように紙幣画像２００から切り出されるが、記番号画像２０１として切り出す部分領域の位置及び大きさを示す情報は、記番号認識条件３１に含まれている。
【００４８】
記番号テンプレート決定部４２は、記番号認識条件３１に設定されている情報に基づいて、記憶部３０の記番号テンプレートデータ３２から、図７（ｂ）に示す１つ目の記番号テンプレートＹ２（２２０）を読み込む（図６ステップＳ１２）。そして、記番号テンプレート決定部４２は、記番号テンプレートＹ２（２２０）で、図８（ｂ）に示す記番号画像２０１上を走査して、図８（ｃ）に示すように、記番号２１０の位置を特定する（ステップＳ１３）。すなわち、記番号テンプレートＹ２（２２０）のテンプレート評価値が最大値を示す位置を特定する。そして、記番号テンプレート決定部４２は、図８（ｃ）に示す位置で得られたテンプレート評価値（最大値）を、記番号テンプレートＹ２（２２０）のテンプレート評価値Ｅ１とする。なお、これらの処理は、図５で説明した記番号画像取得部４１による処理と同様に行われる。
【００４９】
記番号テンプレートＹ２のテンプレート評価値Ｅ１を取得すると、記番号テンプレート決定部４２は、評価対象となる記番号テンプレートが残っているか否かを判定する（図６ステップＳ１４）。図４に示すように、記番号認識条件３１では、金種Ｂの紙幣について、記番号テンプレートＹ１も評価対象として設定されている。このため、記番号テンプレート決定部４２は、評価対象となる記番号テンプレートＹ１が残っていると判定して（ステップＳ１４；Ｎｏ）、記憶部３０の記番号テンプレートデータ３２から、図７（ａ）に示す２つ目の記番号テンプレートＹ１（１２０）を読み出す（図６ステップＳ１２）。
【００５０】
記番号テンプレートＹ１（１２０）を読み込んだ記番号テンプレート決定部４２は、記番号テンプレートＹ１（１２０）で、図８（ｂ）に示す記番号画像２０１上を走査して、図８（ｄ）に示すように、記番号２１０の位置を特定する（図６ステップＳ１３）。すなわち、記番号テンプレートＹ１（１２０）のテンプレート評価値が最大値を示す位置を特定する。そして、記番号テンプレート決定部４２は、図８（ｄ）に示す位置で得られたテンプレート評価値（最大値）を、記番号テンプレートＹ１（１２０）のテンプレート評価値Ｅ２とする。図８（ｄ）に示すように、金種Ｂの改刷前紙幣用に準備された記番号テンプレートＹ１（１２０）を利用して、改刷後紙幣の記番号画像２０１上で記番号２１０の位置を特定すると、記番号２１０の一部の桁の文字が、記番号テンプレートＹ１（１２０）の文字枠からずれた状態となる。
【００５１】
記番号テンプレートＹ１のテンプレート評価値Ｅ２を取得すると、記番号テンプレート決定部４２は、評価対象となる記番号テンプレートが残っているか否かを判定する（図６ステップＳ１４）。そして、図４に示す記番号認識条件３１から、金種Ｂの紙幣について評価対象として設定された２種類の記番号テンプレートＹ１、Ｙ２の評価を終えたことを認識すると（ステップＳ１４；Ｙｅｓ）、記番号テンプレート決定部４２は、評価値を求めた２種類の記番号テンプレートＹ１、Ｙ２の中から、記番号２１０の文字認識に利用する記番号テンプレートを決定する（ステップＳ１５）。
【００５２】
具体的には、記番号テンプレートＹ２のテンプレート評価値Ｅ１と、記番号テンプレートＹ１のテンプレート評価値Ｅ２とを比較して、評価値が大きい（評価が高い）記番号テンプレートを記番号２１０の文字認識に利用するよう決定する。
【００５３】
テンプレート評価値は、記番号テンプレートを形成する各余白枠の枠内に文字を含まず、かつ、各文字枠の枠内に、対応する記番号各桁の文字を含む状態となったときに最大値を示し、余白枠に文字を含んだり文字枠から文字が外れたりすると評価値が下がるよう設定されている。このため、図８（ｂ）に示す改刷後紙幣の記番号画像２０１では、図８（ｃ）に示す記番号テンプレートＹ２（２２０）のテンプレート評価値Ｅ１の方が、図８（ｄ）に示す記番号テンプレートＹ１（１２０）のテンプレート評価値Ｅ２より大きくなる。この結果、記番号テンプレート決定部４２は、改刷後紙幣の記番号２１０の文字認識に利用する記番号テンプレートは記番号テンプレートＹ２（２２０）であると決定して（図６ステップＳ１５）、記番号テンプレート決定処理を終了する。
【００５４】
こうして、記番号テンプレート決定部４２によって、記番号２１０の文字認識に利用する記番号テンプレートが決定されると（図３ステップＳ５）、記番号画像取得部４１が、決定された記番号テンプレートＹ２（２２０）を利用して、記番号２１０を形成する各桁の文字を１文字ずつ含む部分領域を切り出した文字画像を取得する（ステップＳ９）。
【００５５】
具体的には、記番号テンプレートＹ２（２２０）を利用して記番号画像２０１上で記番号２１０の位置を特定した図８（ｃ）に示す位置で、各文字枠２２４〜２３２で囲まれる部分領域を切り出して９つの文字画像を取得する。そして、文字認識部４３が、各文字画像に含まれる文字の文字認識を行う（図３ステップＳ１０）。記憶部３０の文字認識用データ３３には、記番号各桁の文字に対応する辞書データが予め準備されているので、文字認識部４３は、各文字画像に対応する辞書データを利用して、各文字画像３０２の文字認識を行う。なお、各金種の紙幣の記番号各桁の文字と、文字認識用の辞書データとの関係を示す情報は、記憶部３０の記番号認識条件３１に含まれている。
【００５６】
このように、２種類の記番号テンプレートＹ１、Ｙ２を評価して、記番号２１０を文字認識するための記番号テンプレートＹ２を決定することにより、図８（ｂ）に示す改刷後紙幣の記番号画像２０１上で、図８（ｃ）に示すように記番号２１０の位置を特定することができる。そして、記番号２１０を形成する各桁の文字を１文字ずつ含む文字画像を取得することにより、正確な文字認識を行うことができる。
【００５７】
図２（ａ）に示す金種Ｂの改刷前紙幣を記番号読み取りの処理対象としている場合にも、同様に、紙幣画像１００を取得して識別部２０によって金種Ｂの紙幣であると識別した後、図４に示す記番号認識条件３１に基づいて、２種類の記番号テンプレートＹ１、Ｙ２の中から、改刷前紙幣に対応する記番号テンプレートを選択するための記番号テンプレート決定処理が行われる。
【００５８】
図９は、図２（ａ）に示す改刷前紙幣について行われる記番号テンプレート決定処理を説明する図である。図９（ａ）に示すように、記番号テンプレートＹ１（１２０）を利用して、改刷前紙幣の記番号画像１０１上で記番号１１０の位置を特定した場合には、記番号１１０を形成する各桁の文字が、記番号テンプレートＹ１（１２０）の対応する各文字枠内に含まれる状態となる。一方、図９（ｂ）に示すように、記番号テンプレートＹ２（２２０）を利用して記番号１１０の位置を特定した場合には、記番号１１０の一部の桁の文字が、記番号テンプレートＹ２（２２０）の文字枠からずれた状態となる。
【００５９】
このため、図９（ａ）に示す記番号テンプレートＹ１（１２０）のテンプレート評価値の方が、同図（ｂ）に示す記番号テンプレートＹ２（２２０）の評価値より大きくなる。この結果、記番号テンプレート決定部４２は、改刷前紙幣の記番号１１０の文字認識に利用する記番号テンプレートは記番号テンプレートＹ１（１２０）であると決定する。そして、記番号テンプレートが決定されると、記番号画像取得部４１が、決定された記番号テンプレートＹ１（１２０）を利用して、記番号２１０を形成する各桁の文字を１文字ずつ含む９つの文字画像を取得し、文字認識部４３が、各文字画像に含まれる文字の文字認識を行う。この結果、記番号１１０を形成する各桁の文字を１文字ずつ含む文字画像を利用して正確に文字を認識することができる。
【００６０】
このように、紙幣処理装置１では、記番号認識条件３１を利用して、識別部２０による１つの金種識別結果に複数の記番号テンプレートを割り当て、各記番号テンプレートを評価するように設定することができる。また、紙幣の記番号を撮像した画像上で、各記番号テンプレートを移動させながら、記番号を形成する各文字が、記番号テンプレートの対応する各文字枠内に含まれる位置を探索して、記番号テンプレートの各文字枠と記番号を形成する各文字との対応を評価するテンプレート評価値を算出することができる。そして、各記番号テンプレートについて算出したテンプレート評価値を比較することにより、記番号の文字認識に利用する記番号テンプレートを決定することができる。決定した記番号テンプレートを利用すれば、記番号画像から、記番号各桁の文字を１文字ずつ含む文字画像を取得することができるので、記番号の文字認識を正確に行うことができる。
【００６１】
なお、紙幣処理装置１では、評価対象とする記番号テンプレートが複数種類ある場合に、記番号認識条件３１で、記番号テンプレートの評価順序を指定することも可能となっている。また、全ての記番号テンプレートについてテンプレート評価値を算出して、文字認識に利用する記番号テンプレートを決定する例を示したが、テンプレート評価値が予め設定された閾値を超える記番号テンプレートが現れた場合には、残りの記番号テンプレートの評価は行わずに、閾値を超えた記番号テンプレートを文字認識に利用するよう決定する設定とすることもできる。
【００６２】
例えば、市場で流通する紙幣のほとんどが改刷前紙幣で、改刷後紙幣の流通が開始されたばかりの場合には、記番号認識条件３１で、改刷前紙幣用の記番号テンプレートを先に評価して、改刷後紙幣用の記番号テンプレートを後で評価するように処理順序を設定する。そして、改刷前紙幣用の記番号テンプレートの評価値が所定の閾値を超えて、記番号が改刷前紙幣のものであることが明らかとなった場合には、改刷後テンプレートの評価を省略するように設定する。これにより、記番号テンプレートの選択処理に係る処理負荷を軽減することができる。
【００６３】
また、紙幣処理装置１の識別部２０が、図２に示す改刷前紙幣及び改刷後紙幣の両方を、同一の金種Ｂであると識別する態様に限定されるものではなく、例えば、改刷前の紙幣を金種Ｂ１、改刷後の紙幣を金種Ｂ２というように、識別部２０が紙幣の新旧を区別して識別する場合にも、複数の記番号テンプレートを評価して、文字認識に利用する記番号テンプレートを決定するように記番号認識条件３１を設定することができる。
【００６４】
図１０は、記番号認識条件３１の別の例を示す図である。例えば、図１０に示すように、識別部２０が、金種Ｂの改刷前紙幣をＢ１紙幣、金種Ｂの改刷後紙幣をＢ２紙幣と区別して識別する場合に、識別部２０による識別結果がＢ１であれば、Ｂ１紙幣の記番号のフォーマットに合わせて準備した記番号テンプレートＹ１と、Ｂ２紙幣の記番号フォーマットに合わせて準備した記番号テンプレートＹ２とを対象として記番号テンプレート決定処理を実行し、記番号の文字認識に利用する記番号テンプレートを決定するように設定する。また、識別部２０による識別結果がＢ２である場合にも、Ｂ１紙幣用の記番号テンプレートＹ１及びＢ２紙幣用の記番号テンプレートＹ２を対象として記番号テンプレート決定処理を実行し、記番号の文字認識に利用する記番号テンプレートを決定するように設定する。この設定に基づいて記番号テンプレート決定処理を実行することにより、Ｂ１紙幣及びＢ２紙幣のいずれを処理対象とする場合でも、各紙幣に応じた記番号テンプレートを決定して記番号を正確に読み取ることができる。
【００６５】
例えば、識別部２０によってＢ１紙幣と識別された紙幣について記番号テンプレート決定処理を行ったにも拘わらず、Ｂ１紙幣用の記番号テンプレートＹ１のテンプレート評価値より、Ｂ２紙幣用の記番号テンプレートＹ２のテンプレート評価値の方が高い評価となった場合には、記番号テンプレート決定部４２は、識別部２０による識別結果と、テンプレート評価値の評価結果とが矛盾することを報知する信号を出力する。これを受けて、識別部２０による識別結果が誤っている可能性があることが認識した紙幣処理装置１では、所定の処理を実行することができる。例えば、識別部２０による識別結果に、Ｂ１紙幣とする識別結果が誤っている可能性を示す情報を付加する処理、識別部２０による識別結果をＢ１紙幣からＢ２紙幣に修正する処理、識別部２０による金種識別の処理内容や判定用閾値を変更して金種を再識別する処理等を実行するように設定することができる。
【００６６】
具体的には、例えば、識別部２０が、解像度の低い画像を利用して紙幣の金種識別を行っている場合等に、識別部２０による金種識別の結果よりも、記番号テンプレート決定部４２による記番号テンプレート決定処理の結果を優先するように設定する。このように設定した場合、例えば、識別部２０がＢ１紙幣であると識別した紙幣について記番号テンプレート決定処理が行われ、記番号テンプレート決定部４２が、この紙幣に対応する記番号テンプレートはＢ１紙幣用の記番号テンプレートＹ１であると決定すると、この紙幣はＢ１紙幣であるとする識別部２０の金種識別結果が維持される。一方、識別部２０がＢ１紙幣であると識別したにも拘わらず、記番号テンプレート決定部４２が、この紙幣に対応する記番号テンプレートはＢ２紙幣用の記番号テンプレートＹ２であると決定した場合には、識別部２０と記番号テンプレート決定部４２の間で処理結果に矛盾があることを示す報知信号が記番号テンプレート決定部４２から出力される。この報知信号が出力されると、制御部４０は、識別部２０による処理結果よりも記番号テンプレート決定部４２による処理結果を優先して、この紙幣の金種はＢ２であると決定する。このように、紙幣処理装置１では、識別部２０によって識別された紙幣の金種と、記番号テンプレート決定部４２によって、この紙幣に対応すると決定された記番号テンプレートの種類とに基づいて、紙幣の金種の識別結果を決定することも可能となっている。
【００６７】
また、記番号認識条件３１では、例えば、図１０に示す金種Ｃの紙幣のように、外観が略同じで識別部２０によって区別できない可能性があるＣ１紙幣〜Ｃ３紙幣については、Ｃ１紙幣の記番号フォーマットに合わせて準備した記番号テンプレートＺ１、Ｃ２紙幣の記番号フォーマットに合わせて準備した記番号テンプレートＺ２、及びＣ３紙幣の記番号フォーマットに合わせて準備した記番号テンプレートＺ３の中から、記番号の文字認識に利用する記番号テンプレートを選択するように設定して、識別部２０によって他の紙幣と明確に区別して識別できるＣ４紙幣については、記番号テンプレートを選択する処理は行わずに、Ｃ４紙幣の記番号フォーマットに合わせて準備した記番号テンプレートＺ４を利用するように設定することもできる。
【００６８】
また、記番号テンプレート決定処理については、各記番号テンプレートのテンプレート評価値を算出する処理を１つずつ順に行う他、複数の処理を並行して行うように設定することもできる。この場合も、記番号認識条件３１で、処理を並行して行う記番号テンプレートの種類を指定できるようになっている。
【００６９】
例えば、紙幣処理装置１内に、制御部４０を複数設けて、記番号テンプレート決定処理の並列処理を実現する。そして、図１０に示すように、記番号認識条件３１の評価処理方法の項目（指定情報）で、記番号テンプレートの評価処理の実行方法を指定する。例えば、第１制御部及び第２制御部の２つの制御部４０を設けて、図１０に示すように、識別部２０による識別結果がＢ１紙幣又はＢ２紙幣であった場合には、第１制御部で記番号テンプレートＹ１を評価する処理を行い、この処理と並行して、第２制御部で記番号テンプレートＹ２を評価する処理を行うよう指定することができる。また、識別部２０による識別結果がＣ１紙幣、Ｃ２紙幣又はＣ３紙幣であった場合には、第１制御部で記番号テンプレートＺ１を評価する処理を行い、この処理と並行して、第２制御部で記番号テンプレートＺ２及びＺ３を評価する処理を行うよう指定することができる。このとき、第２制御部では、記番号テンプレートＺ２を評価する処理を先に行った後に、記番号テンプレートＺ３を評価するように処理順序を指定することもできる。記番号テンプレート決定部４２は、評価処理方法の項目で設定された通りに記番号テンプレート決定処理を実行する。複数の制御部４０を設けて、各記番号テンプレートを評価する処理を並列処理として実行すれば、記番号の文字認識にかかる処理時間を短縮することができる。
【００７０】
なお、並列処理の数については特に限定されず、制御部４０の機能に応じて３つ以上の処理を並行して行う態様であってもよい。また、制御部４０を複数設けるとしたが、１つの制御部が記番号画像取得部４１、記番号テンプレート決定部４２及び文字認識部４３を有する一方で、他の制御部は記番号テンプレート決定部４２のみを有する態様であっても構わない。
【００７１】
本実施形態では、紙幣に印刷されている記番号のフォーマットが異なる例として、記番号の文字サイズが異なる例を示したが、記番号フォーマットの差違がこれに限定されるものではなく、記番号を形成する各桁の文字の文字間隔が異なる場合、記番号を形成する各桁の文字の色が異なる場合等にも、同様に、各記番号フォーマットに応じた記番号テンプレートを予め準備して、記番号の文字認識に利用する記番号フォーマットを選択することができる。例えば、各記番号フォーマットで記番号を形成する文字の色が異なる場合には、記番号テンプレートに含まれる文字枠内で背景と異なる色の画素を抽出して、この画素の色が、文字枠について設定された色と一致する場合に、この文字枠の評価値が高くなるように評価値の算出方法を設定すればよい。
【００７２】
上述してきたように、本実施形態に係る紙幣処理装置１では、紙幣を撮像した画像から、紙幣に印刷されている記番号各桁の文字を文字認識するために利用する記番号テンプレートを紙幣の種類毎に準備して、識別部２０による１つの識別結果に複数の記番号テンプレートを割り当てることができる。そして、識別部２０による識別結果が得られた際に、この識別結果に複数種類の記番号テンプレートが割り当てられている場合には、これらの記番号テンプレートの中から、記番号の文字認識に利用する記番号テンプレートを決定することができる。例えば、外観が略同じであるが記番号フォーマットが異なる複数種類の紙幣がある場合でも、各紙幣の記番号フォーマットに応じた記番号テンプレートを予め準備しておくことにより、紙幣の外観等に基づいて紙幣の種類を識別した後、この紙幣用に準備された記番号テンプレートを決定して、記番号を正確に文字認識することができる。
【産業上の利用可能性】
【００７３】
以上のように、本発明に係る紙幣処理装置及び紙幣処理方法は、外観は略同じであるが記番号フォーマットが異なる複数種類の紙幣がある場合でも各紙幣の記番号を正しく読み取るために有用である。
【符号の説明】
【００７４】
１  紙幣処理装置
１０  紙幣画像撮像部
２０  識別部
３０  記憶部
４０  制御部
４１  記番号画像取得部
４２  記番号テンプレート決定部
４３  文字認識部
【図１】
0006555751.tif 000002
【図２】
0006555751.tif 000003
【図３】
0006555751.tif 000004
【図４】
0006555751.tif 000005
【図５】
0006555751.tif 000006
【図６】
0006555751.tif 000007
【図７】
0006555751.tif 000008
【図８】
0006555751.tif 000009
【図９】
0006555751.tif 000010
【図１０】
0006555751.tif 000011